(57)【要約】【課題】指を湿らす必要がなく、衛生的に極めて容易にポリ袋やレジ袋等の樹脂袋の口を開けることのできる樹脂袋開け具を提供する。【解決手段】肉薄の表面シート６ａと裏面シート６ｂで形成された樹脂袋６の一辺の開口縁６ｃを開けるための開け具であって、表面シート６ａに当接可能な表面側当接部３と裏面シート６ｂに当接可能な裏面側当接部４が、開口縁６ｃを跨ぐことのできる略Ｕ字状の弾性を有する連結部２で連結されてなり、少なくとも表面側当接部３と裏面側当接部４が摩擦力を発揮し得る素材で形成されている。【選択図】図６
2014198589.tif 000002
【特許請求の範囲】
【請求項１】
肉薄の表面シートと裏面シートで形成された樹脂袋の一辺の開口縁を開けるための開け具であって、
前記表面シートに当接可能な表面側当接部と、前記裏面シートに当接可能な裏面側当接部が、前記開口縁を跨ぐことのできる略Ｕ字状の弾性を有する連結部で連結されてなり、少なくとも前記表面側当接部と前記裏面側当接部が摩擦力を発揮し得る素材で形成されている
ことを特徴とする樹脂袋開け具。
【請求項２】
少なくとも前記表面側当接部と前記裏面側当接部がシリコンゴム製であることを特徴とする請求項１に記載の樹脂袋開け具。
【請求項３】
前記表面側当接部と前記裏面側当接部が対向状に内側へ向けて突出形成されている請求項１または請求項２に記載の樹脂袋開け具。
【請求項４】
前記表面側当接部から前記連結部を通り前記裏面側当接部に至る外側面には、指が嵌まり込む凹溝が形成されている請求項１乃至請求項３何れかに記載の樹脂袋開け具。
【発明の詳細な説明】
【技術分野】
【０００１】
本発明は、ポリ袋やレジ袋等の樹脂袋の口（開口縁）を簡単迅速に開けることのできる樹脂袋開け具に関するものである。
【背景技術】
【０００２】
従来、スーパーマーケット等のサッカー台上に設置されているポリ袋やレジ袋の口を開けるために、水に浸したタオルやスポンジ等で指を湿らせてから開ける場合が多く、また、人によっては、指を舐めて湿らせた状態としてポリ袋やレジ袋の口を開けていた。
なお、特許文献１に開示されているような小袋開封具が存在するが、ポリ袋やレジ袋等の肉薄の樹脂袋の口を良好に開けることのできる開け具は存在しないものであった。
【先行技術文献】
【特許文献】
【０００３】
【特許文献１】特開２０１１−１４３９６５号公報
【発明の概要】
【発明が解決しようとする課題】
【０００４】
従来のように水に浸したタオルやスポンジで指を湿らせてポリ袋等を開ける場合には、長い時間にわたりサッカー台上に置かれたタオルやスポンジに不特定多数の人の指が接触するため、不衛生であり、また、指を舐めたりする行為も不衛生なものであった。そのため、指を湿らせたりする必要がなく容易にポリ袋やレジ袋の口を開けられる開け具の出現が望まれていた。
【課題を解決するための手段】
【０００５】
本発明は、ポリ袋やレジ袋等の肉薄の樹脂袋の口を簡単かつ衛生的に開けることができる樹脂袋開け具の提供を目的とし、この目的の少なくとも一部を達成するために以下の手段を採った。
本発明は、肉薄の表面シートと裏面シートで形成された樹脂袋の一辺の開口縁を開けるための開け具であって、前記表面シートに当接可能な表面側当接部と前記裏面シートに当接可能な裏面側当接部が、前記開口縁を跨ぐことのできる略Ｕ字状の弾性を有する連結部で連結されてなり、少なくとも前記表面側当接部と前記裏面側当接部が摩擦力を発揮し得る素材で形成されていることを要旨とする。
【発明の効果】
【０００６】
本発明の樹脂袋開け具を、例えばスーパーマーケット等のサッカー台の上に設置されているポリ袋等の近傍に配置しておけば、この樹脂袋開け具を、親指と、人差し指または中指で保持して、指の操作により、表面側当接部を樹脂袋の表面シートに押圧させて当接させることができ、また、樹脂袋の裏面シートに裏面側当接部を当接させることができ、表面側当接部と裏面側当接部を樹脂袋に押し付けた状態で前後左右等にスライドさせることで、表面側当接部と裏面側当接部の摩擦力により、樹脂袋の一辺に形成されている口（開口縁）を良好に開けることができ、従来のように、水に浸したタオルやスポンジ等に指を接触させて湿らせる必要もなく、樹脂袋の開口作業が容易で、かつ衛生的に行えるものである。
【０００７】
また、本発明の樹脂袋開け具において、少なくとも前記表面側当接部と前記裏面側当接部がシリコンゴム製であるものとすることもできる。
こうすれば、シリコンゴムの良好な摩擦力により、樹脂袋の開口縁をワンタッチで開けることができるものとなる。
また、シリコンゴムは耐熱性，耐寒性，化学的安定性が高いものであるため、樹脂袋開け具は、耐久性に優れ、汚れが付きにくく、汚れた場合の洗浄や消毒等の管理が容易なものとなる。
【０００８】
また、本発明の樹脂袋開け具において、前記表面側当接部と前記裏面側当接部が対向状に内側へ向けて突出形成されているものとすることもできる。
こうすれば、表面側当接部と裏面側当接部が突出しているため、より良好に表面側当接部を表面シートに、裏面側当接部を裏面シートに当てて、より強い摩擦力を局部的に発揮させ、樹脂袋の開口縁を容易に開けることができるものとなる。
【０００９】
また、本発明の樹脂袋開け具において、前記表面側当接部から前記連結部を通り前記裏面側当接部に至る外側面には、指が嵌まり込む凹溝が形成されているものとすることもできる。
こうすれば、樹脂袋開け具を使用する際に、凹溝内に親指と人差し指あるいは中指を良好に嵌め込んで、樹脂袋開け具をずれることなく良好に保持することができ、樹脂袋開け具の使用がより容易なものとなる。
【図面の簡単な説明】
【００１０】
【図１】樹脂袋開け具の正面構成図である。
【図２】樹脂袋開け具の図１におけるＡ−Ａ線断面図である。
【図３】樹脂袋開け具の斜視図である。
【図４】樹脂袋開け具の使用状態図である。
【図５】樹脂袋開け具を樹脂袋の開口縁を跨ぐようにして配置した状態の使用状態図である。
【図６】図５の状態から指に力を入れて表面側当接部および裏面側当接部を樹脂袋に当接させた使用状態図である。
【図７】表面側当接部および裏面側当接部が内側へ突出した形状をなす樹脂袋開け具の図５に対応させた使用状態図である。
【図８】図７の状態から表面側当接部および裏面側当接部を樹脂袋に押し付けた状態の使用状態図である。
【発明を実施するための形態】
【００１１】
次に、本発明を実施するための形態を実施例を用いて説明する。
図１は、樹脂袋開け具の一例を示す正面図であり、図２は、図１のＡ−Ａ線断面図である。また、図３は、樹脂袋開け具の斜視図である。
【００１２】
樹脂袋開け具１は、略Ｕ字状をなす連結部２の開放端側の一端に表面側当接部３が形成され、連結部２の開放端側の他端に、表面側当接部３と対向状に、裏面側当接部４が形成されている。
本例では、連結部２と表面側当接部３と裏面側当接部４は一体状に形成されており、全体がゴム製であり、特にシリコンゴムを用いて形成されたものとなっている。
また、表面側当接部３の外側面３ａから連結部２の外側面２ａに至り、更に裏面側当接部４の外側面４ａに至って、指が嵌まり込む凹状の凹溝５が外側全体に形成されており、この凹溝５内に図４のように指を嵌め込んで、ずれることなく良好に樹脂袋開け具１を保持できるように構成されている。
なお、凹溝５内に親指と人差し指あるいは中指を嵌め込んで、内側へ向かって押圧力を加えることにより、連結部２の開放端側の表面側当接部３と裏面側当接部４を当接状態にすることができ、また、指の押圧力を解除すると、連結部２の弾性により全体がＵ字状に復元されるものである。
【００１３】
このような樹脂袋開け具１は、スーパーマーケット等のサッカー台上に設置されているポリ袋等の樹脂袋６の近傍に吊り下げる等して配置しておくことができ、客が樹脂袋６の開口縁６ｃを開けようとする際に、この樹脂袋開け具１を用いて、図５のように、樹脂袋６の一辺に形成されている開口縁６ｃを跨ぐようにして連結部２を配置させ、樹脂袋６の表面シート６ａ側に表面側当接部３を配置させ、樹脂袋６の裏面シート６ｂ側に裏面側当接部４を配置させて、この状態で、指７，７により押圧力を内側へ加えることにより、図６のように、表面側当接部３が樹脂袋６の表面シート６ａに当接し、裏面側当接部４が樹脂袋６の裏面シート６ｂに当接する。
このように、樹脂袋６を表面側当接部３と裏面側当接部４で挟み付けた状態で、表面側当接部３と裏面側当接部４を前後左右等にスライド移動させることにより、静電気力で張り付いている樹脂袋６を形成する表面シート６ａと裏面シート６ｂの開口縁６ｃ側を、摩擦力により良好に開けることができ、簡単な操作により樹脂袋６の開口縁６ｃを開け、樹脂袋６内に食品等を入れてゆくことができる。
【００１４】
従って、従来のように、指を、水に浸したタオルやスポンジ等で湿らせる必要もなく、樹脂袋６の開口縁６ｃを開ける作業を、衛生的に極めて容易に行うことができるものとなる。
このような樹脂袋開け具１を予め設置しておけば、従来のようにスーパーマーケット等のサッカー台上に水に浸したタオルやスポンジ等を置いておく必要はなくなり、タオルやスポンジ等が不要となるため、その管理に要する労力や人員を削減できるものとなる。
【００１５】
なお、本例では、樹脂袋開け具１を構成する連結部２と表面側当接部３と裏面側当接部４を一体状に形成したものを例示しているが、表面側当接部３および裏面側当接部４は摩擦力の大なるシリコンゴム製とし、連結部２は弾性を有する他の素材で形成したものであっても良く、例えば連結部２はバネ材や竹，木等の素材を用いたものであっても良く、このような別素材で形成した連結部２の開放端側にシリコンゴム製等で形成した別体の表面側当接部３および裏面側当接部４を貼着等で一体化したものであっても良い。
【００１６】
なお、図７および図８に示すものは別例であり、この図７および図８に示す樹脂袋開け具は、表面側当接部３と裏面側当接部４が対向状に内側に突出状に形成されたものである。
図７のように、樹脂袋６の開口縁６ｃを跨ぐようにして配置させ、この状態で図８のように、指に力を入れて表面側当接部３と裏面側当接部４を樹脂袋６に押し付けると、表面側当接部３および裏面側当接部４は突出形状であるため、互いの頂点部分が樹脂袋６に当接して、強い力を要することなく、軽く指に力を入れるだけで確実に表面シート６ａと裏面シート６ｂを挟み付けることができ、この状態で前後左右等にスライドさせる力を加えることで、静電気力に抗して良好に裏面シート６ｂから表面シート６ａを剥がすことができ、極めて容易に樹脂袋６の開口縁６ｃを開口させることができるものとなる。
【符号の説明】
【００１７】
１  樹脂袋開け具
２  連結部
２ａ  外側面
３  表面側当接部
４  裏面側当接部
５  凹溝
６  樹脂袋
６ａ  表面シート
６ｂ  裏面シート
６ｃ  開口縁
７  指
【図１】
2014198589.tif 000003
【図２】
2014198589.tif 000004
【図３】
2014198589.tif 000005
【図４】
2014198589.tif 000006
【図５】
2014198589.tif 000007
【図６】
2014198589.tif 000008
【図７】
2014198589.tif 000009
【図８】
2014198589.tif 000010